(57)【要約】【課題】文字盤の厚さを抑制しつつ、立体感が得られる置時計を提供する。【解決手段】  置時計１００は、ベース板２１０と装飾板２２０とが積層された文字盤２００を備える。ベース板２１０には、複数の貫通孔が設けられることにより、港町の風景の模様が表現されている。装飾板２２０は、対象物としての遊覧船の形状をなしており、窓等の形の貫通孔２２１が設けられている。ベース板２１０及び装飾板２２０はステンレス鋼板製であり、ベース板２１０の表面はつや消し加工が施され、装飾板２２０の表面は鏡面加工が施されている。ベース板２１０と装飾板２２０との間にはスペーサーが挟まれ、空間が設けられている。【選択図】図１
0003199485.tif 000002
【実用新案登録請求の範囲】
【請求項１】
文字盤と、
前記文字盤上を回動する短針及び長針と、
を備え、
前記文字盤は、
金属製のベース板と、
前記ベース板の表側に重ねられ、対象物の形状に形成された金属製の装飾板と、
を有し、
前記装飾板に模様を表現した１又は複数の貫通孔が設けられている、
置時計。
【請求項２】
前記ベース板に模様を表現した１又は複数の貫通孔が設けられており、
前記装飾板の貫通孔の少なくとも一部は、前記ベース板の貫通孔と一部において重なっており、他の部分において重なっていない、
請求項１に記載の置時計。
【請求項３】
前記ベース板の模様は前記装飾板と重なる部分と、前記装飾板と重ならない部分とを含む、
請求項２に記載の置時計。
【請求項４】
前記装飾板は、前記ベース板との間に空間が設けられるように前記ベース板に取り付けられている、
請求項１乃至３の何れかに記載の置時計。
【請求項５】
前記ベース板と前記装飾板とは、異なる表面処理が施されている、
請求項１乃至４の何れかに記載の置時計。
【請求項６】
前記装飾板は、前記ベース板の表面よりも反射率が高くなるように表面処理が施されている、
請求項５に記載の置時計。
【請求項７】
前記装飾板の表面は、鏡面加工が施されており、
前記ベース板の表面は、つや消し加工が施されている、
請求項６に記載の置時計。
【考案の詳細な説明】
【技術分野】
【０００１】
本考案は、装飾性の高い文字盤を備えた置時計に関する。
【背景技術】
【０００２】
時計の文字盤に装飾を施す場合、文字盤上に模様、図形等を立体的に形成することがある。特許文献１には、十二支を構成する獣の立体図形を、木製の文字盤に貼り付けた装飾時計が開示されている。
【先行技術文献】
【特許文献】
【０００３】
【特許文献１】実開昭６２−１９３５８３号公報
【考案の概要】
【考案が解決しようとする課題】
【０００４】
特許文献１に開示された装飾時計において、獣の立体図形の高さが小さければ、獣の図形が文字盤から浮き上がるように見えず、立体感が損なわれ、立体図形が目立たない。その一方、立体図形の高さを大きくすると、立体感が得られるものの、時計の厚さが大きくなり、大型化するという問題がある。
【０００５】
本考案は斯かる事情に鑑みてなされたものであり、その主たる目的は、文字盤の厚さを抑制しつつ、立体感が得られる置時計を提供することにある。
【課題を解決するための手段】
【０００６】
上述した課題を解決するために、本考案の一の態様の置時計は、文字盤と、前記文字盤上を回動する短針及び長針と、を備え、前記文字盤は、金属製のベース板と、前記ベース板の表側に重ねられ、対象物の形状に形成された金属製の装飾板と、を有し、前記装飾板に模様を表現した１又は複数の貫通孔が設けられている。
【０００７】
この態様において、前記ベース板に模様を表現した１又は複数の貫通孔が設けられており、前記装飾板の貫通孔の少なくとも一部は、前記ベース板の貫通孔と一部において重なっており、他の部分において重なっていなくてもよい。
【０００８】
また、上記態様において、前記ベース板の模様は前記装飾板と重なる部分と、前記装飾板と重ならない部分とを含んでいてもよい。
【０００９】
また、上記態様において、前記装飾板は、前記ベース板との間に空間が設けられるように前記ベース板に取り付けられていてもよい。
【００１０】
また、上記態様において、前記ベース板と前記装飾板とは、異なる表面処理が施されていてもよい。
【００１１】
また、上記態様において、前記装飾板は、前記ベース板の表面よりも反射率が高くなるように表面処理が施されていてもよい。
【００１２】
また、上記態様において、前記装飾板の表面は、鏡面加工が施されており、前記ベース板の表面は、つや消し加工が施されていてもよい。
【考案の効果】
【００１３】
本考案に係る置時計によれば、文字盤の厚みを抑制しつつ、対象物を立体的に際立たせることができる。
【図面の簡単な説明】
【００１４】
【図１】実施の形態に係る置時計の構成を示す斜視図。
【図２】実施の形態に係る置時計の構成を示す正面図。
【図３】実施の形態に係る置時計の構成を示す側面図。
【図４】ベース板の構成を示す正面図。
【図５】装飾板の構成を示す正面図。
【考案を実施するための形態】
【００１５】
以下、本考案の好ましい実施の形態を、図面を参照しながら説明する。
【００１６】
図１は、本実施の形態に係る置時計の構成を示す斜視図であり、図２は、その正面図であり、図３は、その側面図である。
【００１７】
置時計１００は、文字盤２００と、時計機構３００と、カバー４００とを備える。時計機構３００は、短針３０１と、長針３０２と、秒針３０３と、駆動部３０４とを備える。以下、文字盤２００の短針３０１、長針３０２、及び秒針３０３が配置されている側を「表側」といい、その反対側を「裏側」という。また、裏側から表側へ向かう方向を「前方」、その反対方向を「後方」という。短針３０１、長針３０２、及び秒針３０３の回転中心から１２時の方向を「上方」、６時の方向を「下方」、３時の方向を「右方」、９時の方向を「左方」という。
【００１８】
置時計１００は、前後方向の長さが短い扁平な直方体形状をなしている。文字盤２００の表側には距離を隔てて透明なカバー４００が配置され、短針３０１、長針３０２、及び秒針３０３は、文字盤２００とカバー４００との間に配置されている。
【００１９】
文字盤２００は、ステンレス鋼製のベース板２１０と、同じくステンレス鋼製の装飾板２２０とを備える。
【００２０】
図４は、ベース板２１０の構成を示す正面図である。ベース板２１０は、正面視において四角形をなす板であり、「１２」、「３」、「６」、「９」の時刻を表す文字２１１，２１２，２１３，２１４のそれぞれが、上側、右側、下側、左側の各時刻に対応する位置に貫通孔として形成されている。
【００２１】
短針３０１、長針３０２、及び秒針３０３は、装飾板２２０の表側に配置される。短針３０１、長針３０２、及び秒針３０３を駆動する駆動部３０４は、ベース板２１０の裏側に取り付けられる（図３参照）。
【００２２】
カバー４００は、透光性を有するアクリル製の板状部材である。カバー４００は、正面視においてベース板２１０と同じ大きさの四角形をなしており、ベース板２１０と並行に配置されている。ベース板２１０の表側の四隅のそれぞれには、円柱状の支持部材４１０が前方に延びるように取り付けられている。これらの支持部材４１０の前端に、カバー４００の四隅が固定されており、これによってカバー４００がベース板２１０から所定距離を隔てて支持されている。
【００２３】
図４に示すように、ベース板２１０には、模様を表す貫通孔が複数設けられている。本実施の形態では、高層ビルディングの模様２１５と、複数のカモメの模様２１６と、海面の波の模様２１７とが設けられている。これらの模様は、全体として港町の風景を構成している。高層ビルディングの模様２１５は、窓を表す複数の四角形の貫通孔２１８を含んでいる。
【００２４】
図５は、装飾板２２０の構成を示す正面図である。装飾板２２０は、ベース板２１０よりも小さく、対象物である遊覧船の形状をなす板である。装飾板２２０には、遊覧船の窓等の形状を表す貫通孔２２１が複数設けられている。かかる装飾板２２０は、ベース板２１０の表側に重ねられている。
【００２５】
装飾板２２０は、ベース板２１０に設けられた模様２１５，２１６，２１７と調和する位置に配置される。具体的には、正面視において、遊覧船の船体下部が海面の波２１７と接するように、装飾板２２０はベース板２１０上で位置決めされる。これにより、文字盤２００全体として、遊覧船が港町の海を航行する様子が表現される。
【００２６】
置時計１００の正面側からは、装飾板２２０が設けられている箇所において装飾板２２０の表面が見え、装飾板２２０の外側においてベース板２１０の表面が見え、ベース板２１０に設けられた模様２１５，２１６，２１７において後方の壁等が見える。このように、装飾板２２０がベース板２１０の上に配置されており、ベース板２１０には貫通孔により模様２１５，２１６，２１７が設けられているため、文字盤２００が立体的に見える。
【００２７】
さらに、図２に示すように、装飾板２２０に設けられた一部の貫通孔２２１は、ベース板２１０に設けられた一部の貫通孔２１８と重なっている。この一部の貫通孔２２１においては、貫通孔２１８と重なっている領域と、貫通孔２１８と重なっていない領域とが設けられる。置時計１００の正面側にいる人からは、貫通孔２２１のうちの貫通孔２１８と重なっていない領域において、ベース板２１０の表面が見え、貫通孔２２１のうちの貫通孔２１８と重なっている領域において、置時計１００の後方にある壁等が見える。このように、正面側から置時計１００を見ている人からは、１つの貫通孔２２１において後方の２つの階層が見えるため、装飾板２２０がより一層立体的に見える。
【００２８】
上記のように、装飾板２２０が設けられている箇所では装飾板２２０の表面が、装飾板２２０の外側ではベース板２１０の表面が、ベース板２１０の模様２１５，２１６，２１７では後方の壁等が、貫通孔２２１のうちの貫通孔２１８と重なっていない領域ではベース板２１０の表面が、貫通孔２２１のうちの貫通孔２１８と重なっている領域では後方の壁等が見えるため、前後方向の階層を多様に組み合わせて立体的な文字盤２００を構成することができる。
【００２９】
図３に示すように、装飾板２２０は、板状のスペーサー２３０を介してベース板２１０に取り付けられている。スペーサー２３０は、短針３０１、長針３０２、及び秒針３０３の回転中心の位置に配置されている。これにより、ベース板２１０と装飾板２２０との間に空間が設けられ、装飾板２２０がベース板２１０からより一層浮いているように見える。
【００３０】
ベース板２１０及び装飾板２２０のそれぞれは、薄いステンレス鋼板である。それぞれの厚さは問わないが、強度を維持するためには０．５ｍｍ以上であることが好ましく、文字盤２００の厚さを抑えるためには５ｍｍ以下であることが好ましい。また、スペーサー２３０は金属板製であり、その厚さは、装飾板２２０をベース板２１０から浮いてみせるためには０．５ｍｍ以上であることが好ましく、文字盤２００の厚さを抑えるためには５ｍｍ以下であることが好ましい。上記の場合、文字盤２００の厚さは、１．５ｍｍ以上１５ｍｍ以下となる。
【００３１】
上記のようなベース板２１０及び装飾板２２０の表面は塗装されておらず、ベース板２１０はヘアライン加工が施され、装飾板２２０は鏡面加工が施されている。つまり、ベース板２１０と装飾板２２０とは異なる表面処理が施される。装飾板２２０の表面は光沢感があり、外光を反射して明るく輝く。一方、ベース板２１０はつやがなく、外光を乱反射するため鈍く輝く。つまり、装飾板２２０の表面の方がベース板２１０の表面よりも反射率が高くなっている。このため、遊覧船が背景よりも目立ち、遊覧船を立体的に際立たせることができる。
【００３２】
（その他の実施の形態）
なお、上述した実施の形態においては、装飾板２２０を遊覧船の形状とし、ベース板２１０に港町の風景の模様を表す構成について述べたが、これに限定されるものではない。装飾板２２０を遊覧船以外の対象物の形状とし、ベース板２１０に港町以外の風景の模様を表してもよい。例えば、装飾板２２０を自動車の形状とし、ベース板２１０に都会の風景の模様を表してもよいし、装飾板２２０を飛行機の形状とし、ベース板２１０に空港の風景の模様を表してもよい。
【００３３】
また、上述した実施の形態においては、ベース板２１０及び装飾板２２０をステンレス鋼製としたが、これに限定されるものではない。ベース板２１０及び装飾板２２０を、同合金製又はアルミニウム合金製など、ステンレス鋼以外の金属製としてもよい。
【００３４】
また、上述した実施の形態においては、ベース板２１０の表面をヘアライン加工する構成について述べたが、これに限定されるものではない。鏡面加工が施された装飾板２２０を立体的に目立たせるためには、ベース板２１０を反射率の低い表面にするようつや消し加工を施すことが好ましいが、つや消し加工であればヘアライン加工以外の加工方法、例えば梨地加工等により加工してもよい。
【００３５】
また、上述した実施の形態においては、ベース板２１０の表面よりも、装飾板２２０の表面の方が反射率を高くするようにした構成について述べたが、これに限定されるものではない。ベース板２１０の表面よりも、装飾板２２０の表面の方が反射率を低くするようにしてもよい。この場合、例えばベース板２１０の表面を鏡面加工し、装飾板２２０の表面をつや消し加工することが考えられる。
【００３６】
また、上述した実施の形態においては、装飾板２２０の貫通孔２２１と、ベース板２１０の貫通孔とが、一部の領域において重なっており、他の領域において重なっていない構成について述べたが、これに限定されるものではない。装飾板２２０の貫通孔２２１の全領域において、ベース板２１０の貫通孔と重なっていない構成としてもよいし、装飾板２２０の貫通孔２２１の全領域において、ベース板２１０の貫通孔と重なっている構成としてもよい。
【００３７】
また、上述した実施の形態においては、ベース板２１０に貫通孔を設けることにより、模様を表現する構成について述べたが、これに限定されるものではない。例えば、ベース板２１０に凹凸を設けて模様を表現してもよいし、ベース板２１０に線画を描いたり、彩色を施したりすることによって模様を表現してもよい。
【００３８】
また、上述した実施の形態においては、装飾板２２０に貫通孔２２１を設けることにより、対象物における窓等の模様を表現する構成について述べたが、これに限定されるものではない。例えば、装飾板２２０に凹凸を設けて模様を表現してもよいし、装飾板２２０に線画を描いたり、彩色を施したりすることによって模様を表現してもよい。
【００３９】
また、上述した実施の形態においては、ベース板２１０と装飾板２２０との間に空間が設けられる構成について述べたが、これに限定されるものではない。ベース板２１０に直接装飾板２２０を重ね合わせ、ベース板２１０と装飾板２２０との間に隙間を設けない構成としてもよい。
【産業上の利用可能性】
【００４０】
本考案の置時計は、装飾性の高い文字盤を備えた置時計として有用である。
【符号の説明】
【００４１】
１００  置時計
２００  文字盤
２１０  ベース板
２１１〜２１７  貫通孔
２２０  装飾板
２２１  貫通孔
２３０  スペーサー
３００  時計機構
３０１  短針
３０２  長針
３０３  秒針
３０４  駆動部
４００  カバー
４１０  支持部材
【図１】
0003199485.tif 000003
【図２】
0003199485.tif 000004
【図３】
0003199485.tif 000005
【図４】
0003199485.tif 000006
【図５】
0003199485.tif 000007